(57)【要約】【課題】硬化した被覆でも刃部がずれることなく切れ込みを形成して除去することが可能な被覆除去用ナイフを提供する。【解決手段】被覆除去用ナイフ１には、刃部２１の側面に当接して刃部２１とともに被覆１４の切れ込みに入り込む切れ込み位置と、刀身部２の厚み方向に移動して刃部２１から離れ、被覆１４の切れ込みの幅を押し広げる拡幅位置との間で移動自在な拡幅部材３と、拡幅部材３を切れ込み位置と拡幅位置との間で移動させる拡幅機構４とが設けられている。切れ込みの拡幅後に拡幅部材３を切れ込み位置に戻すと、拡幅部材３と切れ込みとの間に隙間が形成されるので、被覆除去用ナイフ１が動かしやすくなる。【選択図】図１
2018064403.tif 000002
【特許請求の範囲】
【請求項１】
電線の被覆に切れ込みを形成するための刃部が一方の長辺部に設けられた略長板状の刀身部と、
前記刀身部の側面に設けられ、前記刃部の側面に当接して前記刃部とともに前記被覆の切れ込みに入り込む切れ込み位置と、前記刀身部の厚み方向に移動して前記刃部から離れ、前記被覆の切れ込みの幅を押し広げる拡幅位置との間で移動自在な拡幅部材と、
前記拡幅部材を前記切れ込み位置と前記拡幅位置との間で移動させる拡幅機構と、
を備えることを特徴とする被覆除去用ナイフ。
【請求項２】
前記拡幅部材は、前記刀身部の先端側に設けられている、
ことを特徴とする請求項１に記載の被覆除去用ナイフ。
【請求項３】
前記拡幅部材は、前記切れ込み位置と前記拡幅位置との間で回動するように、あるいは前記切れ込み位置と前記拡幅位置との間でスライドするように支持されている、
ことを特徴とする請求項１または２に記載の被覆除去用ナイフ。
【請求項４】
前記拡幅機構は、前記刀身部の後端側を保持する把持部に設けられた駆動部と、前記駆動部の駆動力を前記把持部から前記拡幅部材まで伝達する伝達部とを備える、
ことを特徴とする請求項１から３のいずれか１項に記載の被覆除去用ナイフ。
【発明の詳細な説明】
【技術分野】
【０００１】
本発明は、電線の被覆に切れ込みを形成して除去するための被覆除去用ナイフに関するものである。
【背景技術】
【０００２】
電線の接続工事などを行う場合に、電線の被覆を剥ぎ取って芯線を露出させる被覆除去作業が行われる。この被覆除去作業には、図５に示すように、例えば、略長板状の刀身部１１と、刀身部１１の後端側を保持する把持部１２とを備えた被覆除去用ナイフ（電工ナイフともいう）１０が用いられる。刀身部１１の一方の長辺部には、先端が鋭角にされた刃部１１１が設けられており、この刃部１１１を電線１３の被覆１４に押し込むことにより、図６に示すように、被覆１４が切り開かれて切れ込み１４Ａが形成される。
【０００３】
被覆除去作業では、例えば、電線１３の長手方向で所定間隔離れた２箇所に、電線１３の周方向に沿う切れ込み１４Ａを被覆１４に形成するとともに、電線１３の長手方向に沿ってこの２箇所の切れ込み１４Ａ同士を繋げるような切れ込み１４Ｂを被覆１４に形成する。そして、この長手方向に沿う切れ込み１４Ｂが入った箇所から被覆１３を剥ぎ取り、芯線１５を露出させる。
【０００４】
電線１３の周方向に沿う切れ込み１４Ａを形成する際に、作業者からは電線１３の裏側が見えないので、切れ込み１４Ａにずれが生じることがある。この切れ込み１４Ａのずれを防止するため、電線１３と、被覆除去用ナイフ１０の先端とを位置決めした状態で、電線１３の周方向まわりに回転できるように構成した補助具が従来発明されている（例えば、特許文献１参照）。
【先行技術文献】
【特許文献】
【０００５】
【特許文献１】特開２０１０−２２６８７６号公報
【発明の概要】
【発明が解決しようとする課題】
【０００６】
ところで、電線の被覆にはポリ塩化ビニルなどの絶縁性を有する合成樹脂が用いられているが、この合成樹脂製の被覆は、冬季などの気温低下時に硬くなってしまうことが知られている。特に、屋外配線された電線は、冬季における被覆の硬化が著しく、被覆に形成した切れ込みを幅方向に広げるような柔軟性も失われるので、切れ込みに刃部が強く挟み込まれてしまい、被覆除去用ナイフが動かしにくくなり、刃部が切れ込みから滑って作業者が怪我をすることがあった。
【０００７】
特許文献１に記載の補助具を用いれば、電線と被覆除去用ナイフとが位置決めされるので、刃部が切れ込みから滑ってずれてしまうのを防止することができる。しかし、被覆除去用ナイフ以外に補助具を用意するのは面倒であり、被覆を除去する部位が多数ある場合には、補助具と被覆除去用ナイフとをセットする作業が煩雑になり、作業性が低下してしまう。また、特許文献１に記載の補助具では、電線の軸方向に沿う切れ込みを形成することはできない。
【０００８】
本発明は、硬化した被覆でも刃部がずれることなく切れ込みを形成して除去することが可能な被覆除去用ナイフを提供することを目的とする。
【課題を解決するための手段】
【０００９】
上記課題を解決するために、請求項１に記載の発明は、電線の被覆に切れ込みを形成するための刃部が一方の長辺部に設けられた略長板状の刀身部と、前記刀身部の側面に設けられ、前記刃部の側面に当接して前記刃部とともに前記被覆の切れ込みに入り込む切れ込み位置と、前記刀身部の厚み方向に移動して前記刃部から離れ、前記被覆の切れ込みの幅を広げる拡幅位置との間で移動自在な拡幅部材と、前記拡幅部材を前記切れ込み位置と前記拡幅位置との間で移動させる拡幅機構と、を備えることを特徴とする被覆除去用ナイフである。
【００１０】
請求項１に記載の発明によれば、電線の被覆に刀身部の刃部を押し込んで切れ込みを形成すると、切れ込み位置にある拡幅部材は、刃部とともに切れ込みに入り込む。次いで、拡幅機構により拡幅部材を切れ込み位置から拡幅位置に移動させると、拡幅部材は、切れ込みの幅を押し広げる。したがって、拡幅部材を拡幅位置から切れ込み位置に戻すと、拡幅部材と切れ込みとの間に隙間が形成される。
【００１１】
請求項２に記載の発明は、請求項１に記載の被覆除去用ナイフにおいて、前記拡幅部材は、前記刀身部の先端側に設けられている、ことを特徴とするものである。
【００１２】
請求項３に記載の発明は、請求項１または２に記載の被覆除去用ナイフにおいて、前記拡幅部材は、前記切れ込み位置と前記拡幅位置との間で回動するように、あるいは前記切れ込み位置と前記拡幅位置との間でスライドするように支持されている、ことを特徴とするものである。
【００１３】
請求項４に記載の発明は、請求項１から３のいずれか１項に記載の被覆除去用ナイフにおいて、前記拡幅機構は、前記刀身部の後端側を保持する把持部に設けられた駆動部と、前記駆動部の駆動力を前記把持部から前記拡幅部材まで伝達する伝達部とを備える、ことを特徴とするものである。
【発明の効果】
【００１４】
請求項１に記載の発明によれば、電線の被覆に刀身部の刃部を押し込んで切れ込みを形成し、拡幅部材を切れ込み位置から拡幅位置に移動させて切れ込みの幅を押し広げ、拡幅部材を拡幅位置から切れ込み位置に戻して、拡幅部材と切れ込みとの間に隙間を形成するので、刃部が切れ込み内で動かしやすくなり、刃部が切れ込みから滑ってずれてしまうのを防止することができる。したがって、被覆が気温の低下によって硬化してしまう冬季の被覆除去作業でも、作業性および安全性の向上が可能となる。また、補助具などを必要とせず、被覆除去用ナイフだけで被覆除去作業を行なうことができるので、被覆の除去部位が多数ある場合でも作業性は低下しない。さらに、電線の長手方向に切れ込みを形成する場合でも適用することができるので、長手方向の切れ込みを入れる際の作業性および安全性も向上する。
【００１５】
請求項２に記載の発明によれば、拡幅部材は、力を入れやすい刀身部の先端側に設けられているので、被覆に切れ込みを形成する作業がしやすくなる。また、刀身部の後端側には拡幅部材が設けられていないので、従来の一般的な刃部として利用することができる。
【００１６】
請求項３に記載の発明によれば、拡幅部材は、切れ込み位置と拡幅位置との間で回動するように支持してもよいし、あるいはスライドするように支持してもよいので、刀身部の長さや厚み、幅などの様々な条件に応じて拡幅部材の支持手法を選択することができ、被覆除去用ナイフを構成する際の自由度が高くなる。
【００１７】
請求項４に記載の発明によれば、把持部に拡幅機構の駆動部を設け、この駆動部の駆動力を把持部から拡幅部材まで伝達部により伝達するようにしたので、刀身部に拡幅機構全体を設ける場合に比べて刀身部が極端に大型化するのを防ぐことができるので、従来の被覆除去用ナイフと同等の操作性、作業性を維持することができる。
【図面の簡単な説明】
【００１８】
【図１】この発明の実施の形態１に係る被覆除去用ナイフを示す側面図（Ａ）と正面図（Ｂ）である。
【図２】図１の被覆除去用ナイフのＡ−Ａ断面図である。
【図３】図１の被覆除去用ナイフのＢ−Ｂ断面図である。
【図４】この発明の実施の形態２に係る被覆除去用ナイフの拡幅部材の動作を示す断面図である。
【図５】従来の被覆除去用ナイフによる切れ込みの形成状態を示す側面図である。
【図６】図５の被覆除去用ナイフにより形成された被覆の切れ込みを示す断面図である。
【発明を実施するための形態】
【００１９】
以下、この発明を図示の実施の形態に基づいて説明する。
【００２０】
（実施の形態１）
図１から図３は、本発明の実施の形態を示し、図１は、この実施の形態に係る被覆除去用ナイフ１の側面図（Ａ）および正面図（Ｂ）であり、図２（Ａ）、（Ｂ）および（Ｃ）は、図１のＡ−Ａ断面図である。被覆除去用ナイフ１は、刀身部２、拡幅部材３、拡幅機構４および把持部５を備えている。把持部５は、被覆除去用ナイフ１で電線１３の被覆１４を除去する際に把持される柄であり、例えば、略円筒形状をなっている。
【００２１】
刀身部２は、被覆除去用ナイフ１の刃物部分であり、略長板状で先端に尖鋭な切っ先が設けられている。また、刀身部２一方の長辺部には、電線１３の被覆１４に切れ込みを形成するための刃部２１が設けられている。刃部２１は、刀身部２の両側面から鋭角な刃が設けられた両刃構造であり、刀身部２の先端から後端にわたって形成されている。
【００２２】
拡幅部材３は、刀身部２の両側面にそれぞれ設けられており、刀身部２および刃部２１の側面に沿うように屈曲された断面形状をしている。拡幅部材３の刃部２１に当接する先端側は、刃部２１の側面との間に大きな段差が生じないように鋭角な断面形状とされており、刃部２１で被覆１４に切れ込みを形成した際に、刃部２１とともに切れ込みに入り込むようになっている。なお、拡幅部材３は、刀身部２の尖鋭化された先端側に設けられているので、刀身部２の後端側は、刃部２１が部分的に拡幅部材３に隠されることなく、そのまま露呈されている。
【００２３】
また、拡幅部材３の刀身部２の側面に沿う後端側は、刀身部２の長手方向に沿って配された一対の回動軸４２にそれぞれ固定されている。回動軸４２は、刀身部２の両側面に一対ずつ設けられた軸受部２２と、把持部５とによって回動自在に支持されている。これにより、一対の拡幅部材３は、図２（Ａ）に示すように、刃部２１の側面に当接して刃部２１とともに被覆１４の切れ込み１４Ａに入り込む切れ込み位置と、同図（Ｂ）に示すように、刀身部２の厚み方向に移動して刃部２１から離れ、被覆１４の切れ込み１４Ａの幅を押し広げる拡幅位置との間で回動自在となっている。
【００２４】
図１のＢ−Ｂ断面を表す図３（Ａ）に示すように、拡幅機構４は、把持部５内に設けられた駆動部４１と、刀身部２の両側面に回動自在に支持された一対の回動軸（伝達部）４２とを備えている。
【００２５】
駆動部４１は、操作部４１１、ラックギヤ４１２、一対の従動ギヤ４１３およびバネ４１４を備えている。操作部４１１は、把持部５の上部から突出された押しボタンであり、バネ４１４によって上方に付勢され、通常時は把持部５から突出している。
【００２６】
ラックギヤ４１２は、操作部４１１の下端に設けられ、下方に向けて延ばされている。ラックギヤ４１２の両側面には、操作部４１１の上下方向への移動にともなって一緒に昇降する一対の歯列が設けられている。
【００２７】
一対の従動ギヤ４１３は、把持部５内まで延ばされた回動軸４２に固定されて回動自在に支持されている。一対の従動ギヤ４１３は、ラックギヤ４１２の歯列にそれぞれ噛合されており、ラックギヤ４１２の昇降にともなって回動する。
【００２８】
操作部４１１をバネ４１４の付勢に抗して押下すると、ラックギヤ４１２が下降し、このラックギヤ４１２の歯列に噛合した従動ギヤ４１３は、それぞれ時計方向および反時計方向に回動する。従動ギヤ４１３の回動は、回動軸４２によって一対の拡幅部材３に伝達されるので、伝達部材３は、上述した切れ込み位置から拡幅位置へと回動する。
【００２９】
操作部４１１の押下をやめると、操作部４１１はバネ４１４の付勢によって上方に移動し、これにともないラックギヤ４１２も上昇する。このラックギヤ４１２の移動により、ラックギヤ４１２の歯列に噛合した従動ギヤ４１３は、それぞれ反時計方向および時計方向に回動する。従動ギヤ４１３の回動は、回動軸４２によって一対の拡幅部材３に伝達されるので、伝達部材３は、上述した拡幅位置から切れ込み位置へと回動する。
【００３０】
次に、上記の実施の形態の作用について説明する。被覆除去作業を行なう作業者は、一方の手に被覆除去用ナイフ１の把持部５を持ち、もう一方の手に電線１３を持って、刃部２１の先端側を被覆１４に押し当て、被覆１４の周方向に沿った切れ込みを形成する。被覆１４に押し当てられた刃部２１は、その鋭角な先端部分で被覆１４を切り開き、切れ込み１４Ａを形成する。その際に、刃部２１の側面に当接した切れ込み位置にある拡幅部材３は、刃部２１とともに切れ込み１４Ａに入り込む。
【００３１】
刃部２１および拡幅部材３が被覆１４の切れ込み１４Ａに入り込んでいる状態で把持部５の操作部４１１が押下されると、ラックギヤ４１２が下降する。ラックギヤ４１２の下降にともない、従動ギヤ４１３および回動軸４２が回動し、拡幅部材３は、切れ込み位置から刀身部２の厚み方向に移動して刃部２１から離れ、被覆１４の切れ込み１４Ａの幅を押し広げる拡幅位置へと回動する。
【００３２】
操作部４１１の押下をやめると、操作部４１１およびラックギヤ４１２は、バネ４１４の付勢によって上方に移動し、従動ギヤ４１３および回動軸４２は反対方向に回動する。これにより、伝達部材３は、上述した拡幅位置から切れ込み位置へと回動するので、拡幅部材３と切れ込み１４との間に隙間Ｃが形成され、切れ込み１４Ａ内で刃部２１が動かしやすくなる。なお、拡幅部材３の先端が刃部２１から離れる距離としては、切れ込み１４Ａの拡幅後に拡幅部材３との間に隙間が形成される程度でよく、具体的には、例えば、１〜３ｍｍ程度が好ましい。
【００３３】
その後、作業者は、電線１３の長手方向で所定間隔離れた２箇所に、電線１３の周方向に沿う切れ込み１４Ａを被覆１４に形成するとともに、電線１３の長手方向に沿ってこの２箇所の切れ込み１４Ａ同士を繋げるような切れ込み１４Ｂを被覆１４に形成する。長手方向に切れ込み１４Ｂを形成する際にも、拡幅部材３によって切れ込み１４Ｂの幅が押し広げられ、刃部２１との間に隙間Ｃが形成される。そして、この長手方向に沿う切れ込み１４Ｂが入った箇所から被覆１３を剥ぎ取り、芯線１５を露出させる。
【００３４】
以上で説明したように、本実施の形態によれば、電線１３の被覆１４に刀身部２の刃部２１を押し込んで切れ込み１４Ａを形成し、拡幅部材３を切れ込み位置から拡幅位置に移動させて切れ込み１４Ａの幅を押し広げ、拡幅部材３を拡幅位置から切れ込み位置に戻して、拡幅部材３と切れ込み１４Ａとの間に隙間Ｃを形成するので、刃部２１が切れ込み１４Ａ内で動かしやすくなり、刃部２１が切れ込み１４Ａから滑ってずれてしまうのを防止することができる。したがって、被覆１４が気温の低下によって硬化してしまう冬季の被覆除去作業において、作業性および安全性の向上が可能となる。また、補助具などを必要とせず、被覆除去用ナイフ１だけで被覆除去作業を行なうことができるで、被覆１４の除去部位が多数ある場合でも作業性は低下しない。さらに、電線１３の長手方向に切れ込み１４Ｂを形成する場合でも適用することができるので、長手方向の切れ込み１４Ｂを入れる際の作業性および安全性も向上する。
【００３５】
また、拡幅部材３は、力を入れやすい刀身部２の先端側に設けられているので、被覆１４に切れ込み１４Ａ、１４Ｂを形成する作業がしやすくなる。また、刀身部２の後端側には拡幅部材３が設けられていないので、従来の一般的な刃部２１として利用することができる。
【００３６】
さらに、把持部５に拡幅機構４の駆動部４１を設け、この駆動部４１の駆動力を把持部５から拡幅部材３まで回動軸４２により伝達するようにしたので、刀身部２に拡幅機構４全体を設ける場合に比べて、刀身部２が極端に大型化するのを防ぐことができるので、従来の被覆除去用ナイフと同等の操作性、作業性を維持することができる。
【００３７】
以上、この発明の実施の形態を詳述したが、具体的な構成はこの実施の形態に限られるものではなく、この発明の要旨を逸脱しない範囲の設計の変更等があっても、この発明に含まれる。
【００３８】
例えば、実施の形態１では、拡幅部材３を刀身部２の側面で回動自在に支持したが、図４に示す実施の形態２のように、刀身部２の側面に、刀身部２の厚み方向にスライド自在とされた拡幅部材６を設け、この拡幅部材６のスライド動作を拡幅機構７によって行なうようにしてもよい。なお、詳しくは図示しないが、拡幅部材６は、刀身部２の側面にレールなどを設けて拡幅部材６をスライド自在に支持してもよいし、拡幅機構７自体に拡幅部材６を支持させて、スライドするように移動させてもよい。
【００３９】
このように拡幅部材は、実施の形態１のように、切れ込み位置と拡幅位置との間で回動するように支持してもよいし、あるいは実施の形態２のように、スライドするように支持してもよいので、刀身部２の長さや厚み、幅などの様々な条件に応じて拡幅部材の支持手法を選択することができる。したがって、被覆除去用ナイフ１を構成する際の自由度が高くなる。
【００４０】
また、上述した実施の形態では、刀身部２の両側面に拡幅部材３を設けたが、いずれか一方の側面だけに設けてもよい。この場合でも、切れ込みの幅を押し広げることができるので、同様の作用効果を得ることができる。また、拡幅機構４として、ラックギヤ４１２および従動ギヤ４１３を用いたが、梃子やカムなどを利用したリンク機構を用いてもよい。さらに、操作部４１１を把持部５の上部に設けたが、把持部５の下部に設けてよい。
【符号の説明】
【００４１】
１          被覆除去用ナイフ
２          刀身部
２１        刃部
３、６      拡幅部材
４、７      拡幅機構
４１        駆動部
４２        回動軸（伝達部）
５          把持部
１３        電線
１４        被覆
【図１】
2018064403.tif 000003
【図２】
2018064403.tif 000004
【図３】
2018064403.tif 000005
【図４】
2018064403.tif 000006
【図５】
2018064403.tif 000007
【図６】
2018064403.tif 000008